(57)【要約】【課題】簡単な操作で多様なレイヤー音色を電子楽器により発生させることを可能にする音色設定装置および音色設定方法ならびに電子楽器システムを提供する。【解決手段】音色選択受け付け部１０４は、使用者の操作による複数の音色の選択を受け付ける。音色判定部１０５は、選択された複数の音色が音色設定装置１の音源部に設定可能なレイヤー音色であるか、音源部に設定可能な音色と電子楽器の内部音源に設定可能な音色との組み合わせによるレイヤー音色であるか、または電子楽器の内部音源に設定可能なレイヤー音色であるかを判定する。音色設定指令供給部１０６および音色設定指令送信部１０８は、判定結果に基づいて、音源部および電子楽器の内部音源の少なくとも一方に、各音色に対応する音色データまたはレイヤー音色に対応するレイヤー音色データを設定する音色設定指令を供給または送信する。【選択図】図２
2018004744.tif 000002
【特許請求の範囲】
【請求項１】
電子楽器に接続可能な音色設定装置であって、
音源部と、
使用者の操作による複数の音色の選択を受け付ける受け付け手段と、
選択された複数の音色が複合されたレイヤー音色を有する音を前記電子楽器により発生させることが可能となるように、前記音源部および前記電子楽器の少なくとも一方に、各音色に対応する音色データまたはレイヤー音色に対応するレイヤー音色データを設定する設定手段とを備える、音色設定装置。
【請求項２】
前記複数の音色の選択は、予め設定されたレイヤー音色の選択を含む、請求項１記載の音色設定装置。
【請求項３】
前記受け付け手段は、当該音色設定装置が特定機種の電子楽器に接続されたときに前記予め設定されたレイヤー音色の選択を受け付ける、請求項２記載の音色設定装置。
【請求項４】
前記受け付け手段は、当該音色設定装置が接続された電子楽器の内部音源の有無または内部音源に設定可能な音色データに応じて前記予め設定されたレイヤー音色の選択の受け付けの可否を決定する、請求項１〜３のいずれかに記載の音色設定装置。
【請求項５】
前記設定手段は、選択された複数の音色に対応するレイヤー音色データが前記音源部に設定可能である場合に、前記レイヤー音色データを前記音源部に設定する、請求項１〜４のいずれか一項に記載の音色設定装置。
【請求項６】
前記電子楽器は内部音源を含み、
前記設定手段は、選択された複数の音色に対応する複数の音色データが前記音源部に設定可能な第１の音色データおよび前記電子楽器の前記内部音源に設定可能な第２の音色データを含む場合に、前記第１の音色データを前記音源部に設定し、前記第２の音色データを前記電子楽器の前記内部音源に設定する、請求項１〜５のいずれか一項に記載の音色設定装置。
【請求項７】
前記電子楽器は前記内部音源を含み、
前記設定手段は、選択された複数の音色に対応するレイヤー音色データが前記電子楽器の前記内部音源に設定可能である場合に、前記レイヤー音色データを前記電子楽器の前記内部音源に設定する、請求項１〜５のいずれか一項に記載の音色設定装置。
【請求項８】
電子楽器と、
前記電子楽器に接続可能な音色設定装置とを備え、
前記電子楽器は、
使用者が発音指示をするために操作する操作部と、
前記発音指示に基づく音を発生する音発生部とを含み、
前記音色設定装置は、
音源部と、
使用者の操作による複数の音色の選択を受け付ける受け付け手段と、
選択された複数の音色が複合されたレイヤー音色を有する音を前記電子楽器の前記音発生部により発生させることが可能となるように、前記音源部および前記電子楽器の少なくとも一方に、各音色に対応する音色データまたはレイヤー音色に対応するレイヤー音色データを設定する設定手段とを備える、電子楽器システム。
【請求項９】
電子楽器に接続可能な音色設定装置における音色設定方法であって、
使用者の操作による複数の音色の選択を受け付けるステップと、
選択された複数の音色が複合されたレイヤー音色を有する音を前記電子楽器により発生させることが可能となるように、前記音色設定装置の音源部および前記電子楽器の少なくとも一方に、各音色に対応する音色データまたはレイヤー音色に対応するレイヤー音色データを設定するステップとを含む、音色設定方法。
【発明の詳細な説明】
【技術分野】
【０００１】
本発明は、電子楽器に音色を設定する音色設定装置、それを備えた電子楽器システムおよび音色設定方法に関する。
【背景技術】
【０００２】
電子楽器では、複数の単音色を複合することにより得られるレイヤー音色（複合音色）を有する楽音を発生することができる。例えば、特許文献１に記載された電子楽器では、レイヤー音色に関する音色データと単音色に関する音色データとを組み合わせてレイヤー音色に関する音色データが形成される。
【先行技術文献】
【特許文献】
【０００３】
【特許文献１】特開平６−６７６６６号公報
【発明の概要】
【発明が解決しようとする課題】
【０００４】
上記の特許文献１に記載された電子楽器では、ユーザにより形成された新規なレイヤー音色の楽音を発生することができる。しかしながら、電子楽器の内部音源に設定されていない音色データを用いたレイヤー音色の楽音を電子楽器により発生させるためには、電子楽器の操作により種々の音色データを編集する必要がある。
【０００５】
本発明の目的は、簡単な操作で多様なレイヤー音色を電子楽器により発生させることを可能にする音色設定装置および音色設定方法ならびに電子楽器システムを提供することである。
【課題を解決するための手段】
【０００６】
本発明に係る音色設定装置は、電子楽器に接続可能な音色設定装置であって、音源部と、使用者の操作による複数の音色の選択を受け付ける受け付け手段と、選択された複数の音色が複合されたレイヤー音色を有する音を電子楽器により発生させることが可能となるように、音源部および電子楽器の少なくとも一方に、各音色に対応する音色データまたはレイヤー音色に対応するレイヤー音色データを設定する設定手段とを備える。
【０００７】
その音色設定装置においては、使用者により複数の音色が選択された場合に、音源部および電子楽器の少なくとも一方に、各音色に対応する音色データまたはレイヤー音色に対応するレイヤー音色データが設定される。したがって、音色設定装置の簡単な操作で多様なレイヤー音色を有する音を電子楽器により発生させることが可能となる。
【０００８】
複数の音色の選択は、予め設定されたレイヤー音色の選択を含んでもよい。この場合、ユーザは、予め音色設定装置に設定されたレイヤー音色を選択することにより、多様なレイヤー音色をより簡単な操作で電子楽器により発生させることが可能となる。
【０００９】
受け付け手段は、当該音色設定装置が接続された電子楽器の内部音源の有無または内部音源に設定可能な音色データに応じて予め設定されたレイヤー音色の選択の受け付けの可否を決定してもよい。
【００１０】
この場合、音色設定装置が接続される電子楽器によって使用不可能なレイヤー音色の選択を受け付けないことができる。
【００１１】
受け付け手段は、当該音色設定装置が特定機種の電子楽器に接続されたときに予め設定されたレイヤー音色の選択を受け付けてもよい。この場合、特定機種の電子楽器が音色設定装置に接続されたときに、より多くの種類のレイヤー音色を有する音の発生が可能となる。それにより、特定機種の電子楽器の使用が促進される。
【００１２】
設定手段は、選択された複数の音色に対応するレイヤー音色データが音源部に設定可能である場合に、レイヤー音色データを音源部に設定してもよい。
【００１３】
この場合、音源部において使用可能なレイヤー音色データに基づいてレイヤー音色を電子楽器により発生させることができる。それにより、電子楽器により発生可能なレイヤー音色がより多様化する。
【００１４】
電子楽器は内部音源を含み、設定手段は、選択された複数の音色に対応する複数の音色データが音源部に設定可能な第１の音色データおよび電子楽器の内部音源に設定可能な第２の音色データを含む場合に、第１の音色データを音源部に設定し、第２の音色データを電子楽器の内部音源に設定してもよい。
【００１５】
この場合、音色設定装置において使用可能な音色データと電子楽器において使用可能な音色データとの組み合わせに基づいてレイヤー音色を電子楽器により発生させることができる。それにより、電子楽器により発生可能なレイヤー音色がより多様化する。
【００１６】
電子楽器は内部音源を含み、設定手段は、選択された複数の音色に対応するレイヤー音色データが電子楽器の内部音源に設定可能である場合に、レイヤー音色データを電子楽器の内部音源に設定してもよい。
【００１７】
この場合、音色設定装置の簡単な操作により電子楽器によりレイヤー音色を発生させることができる。
【００１８】
本発明に係る電子楽器システムは、電子楽器と、電子楽器に接続可能な音色設定装置とを備え、電子楽器は、使用者が発音指示をするために操作する操作部と、発音指示に基づく音を発生する音発生部とを含み、音色設定装置は、音源部と、使用者の操作による複数の音色の選択を受け付ける受け付け手段と、選択された複数の音色が複合されたレイヤー音色を有する音を電子楽器の音発生部により発生させることが可能となるように、音源部および電子楽器の少なくとも一方に、各音色に対応する音色データまたはレイヤー音色に対応するレイヤー音色データを設定する設定手段とを備える。
【００１９】
その電子楽器システムにおいては、使用者により複数の音色が選択された場合に、音色設定装置の音源部および電子楽器の少なくとも一方に、各音色に対応する音色データまたはレイヤー音色に対応するレイヤー音色データが設定される。したがって、音色設定装置の簡単な操作で多様なレイヤー音色を有する音を電子楽器により発生させることが可能となる。
【００２０】
本発明に係る音色設定方法は、電子楽器に接続可能な音色設定装置における音色設定方法であって、使用者の操作による複数の音色の選択を受け付けるステップと、選択された複数の音色が複合されたレイヤー音色を有する音を電子楽器により発生させることが可能となるように、音色設定装置の音源部および電子楽器の少なくとも一方に、各音色に対応する音色データまたはレイヤー音色に対応するレイヤー音色データを設定するステップとを含む。
【００２１】
その音色設定方法においては、使用者により複数の音色が選択された場合に、音源部および電子楽器の少なくとも一方に、各音色に対応する音色データまたはレイヤー音色に対応するレイヤー音色データが設定される。したがって、音色設定装置の簡単な操作で多様なレイヤー音色を有する音を電子楽器により発生させることが可能となる。
【発明の効果】
【００２２】
本発明によれば、音色設定装置の簡単な操作で多様なレイヤー音色を有する音を電子楽器により発生させることが可能となる。
【図面の簡単な説明】
【００２３】
【図１】本発明の一実施の形態に係る音色設定装置を含む電子楽器システムの構成を示すブロック図である。
【図２】図１の音色設定装置の機能的な構成を示すブロック図である。
【図３】図１の表示器に表示される音色選択メニューの一例を示す模式図である。
【図４】図１の表示器に表示される音色選択メニューの他の例を示す模式図である。
【図５】図１の音色設定装置による音色設定動作を説明するためのブロック図である。
【図６】音色設定装置による音色設定処理を示すフローチャートである。
【図７】音色選択メニュー表示処理を示すフローチャートである。
【図８】音色データ設定処理を示すフローチャートである。
【図９】内部音源を有しない電子楽器が音色設定装置に接続された場合の音色設定処理を示すフローチャートである。
【図１０】図９の音色設定処理における音色データ設定処理を示すフローチャートである。
【図１１】音色選択メニュー表示処理の他の例を示すフローチャートである。
【図１２】図１１の音色選択メニューの変更処理を示すフローチャートである。
【発明を実施するための形態】
【００２４】
（１）電子楽器システムの構成
図１は本発明の一実施の形態に係る音色設定装置を含む電子楽器システムの構成を示すブロック図である。図１の電子楽器システム１００は、音色設定装置１および電子楽器３により構成される。電子楽器３によれば、ユーザは演奏を行うことができるとともに楽曲の制作等の音楽制作を行うことができる。また、音色設定装置１によれば、ユーザは電子楽器３に各種音色を設定することができる。
【００２５】
音色設定装置１は、設定操作子１１、演奏操作子１２、表示器１３、音源部１４および音発生装置１５を備える。設定操作子１１は、オンオフ操作されるスイッチ、回転操作されるロータリエンコーダ、またはスライド操作されるリニアエンコーダ等を含む。この設定操作子１１は、各種パラメータの調整、各種データの選択および電源のオンオフ等を行うために用いられる。演奏操作子１２は、鍵盤およびドラムパッド等を含む。表示器１３には後述する音色選択メニューおよび各種情報が表示される。本実施の形態では、設定操作子１１、演奏操作子１２および表示器１３はタッチパネルディスプレイ１０により構成される。この場合、設定操作子１１および演奏操作子１２は、タッチパネルディスプレイ１０の画面上にＧＵＩ（Graphical User Interface）として表示される。ユーザは、タッチパネルディスプレイ１０により音色の選択等の各種操作を行うことができる。
【００２６】
音源部１４は、例えばＦＭ（Frequency Modulation）音源等を含み、音響信号（オーティオ信号）を生成する。音響信号は、各種音高および各種音色を有する音の波形を表す複数のサンプリング値からなるデジタル信号である。音発生装置１５は、デジタルアナログ（Ｄ／Ａ）変換回路、増幅器およびスピーカを含む。この音発生装置１５は、音源部１４により生成される音響信号をアナログ音信号に変換し、アナログ音信号に基づく楽音を発生する。設定操作子１１、演奏操作子１２、表示器１３、音源部１４および音発生装置１５はバス２１に接続される。
【００２７】
音色設定装置１は、ＲＡＭ（ランダムアクセスメモリ）１６、ＲＯＭ（リードオンリメモリ）１７、ＣＰＵ（中央演算処理装置）１８、記憶装置１９および通信Ｉ／Ｆ（インタフェース）２０をさらに備える。ＲＡＭ１６は、例えば揮発性メモリからなり、ＣＰＵ１８の作業領域として用いられるとともに、複数の音色データを記憶する。ＲＯＭ１７は、例えば不揮発性メモリからなり、システムプログラムおよび音色設定プログラム等のコンピュータプログラムを記憶するとともに、予め設定された複数の音色データをする。ＣＰＵ１８は、ＲＯＭ１７に記憶された音色設定プログラムをＲＡＭ１６上で実行することにより後述する音色設定処理を行う。
【００２８】
記憶装置１９は、ハードディスク、光学ディスク、磁気ディスクまたはメモリカード等の記憶媒体を含む。この記憶装置１９には、複数の音色データが記憶されてもよく、上記の音色設定プログラムが記憶されてもよい。
【００２９】
なお、本実施の形態における音色設定プログラムは、コンピュータが読み取り可能な記録媒体に格納された形態で提供され、ＲＯＭ１７または記憶装置１９にインストールされてもよい。また、通信Ｉ／Ｆ２０が通信網に接続されている場合、通信網に接続されたサーバから配信された音色設定プログラムがＲＯＭ１７または記憶装置１９にインストールされてもよい。
【００３０】
通信Ｉ／Ｆ２０は、通信ドライバおよび通信コネクタを含み、各種指令、各種要求および音響信号の送信および受信を行う。本実施の形態では、通信Ｉ／Ｆ２０は、ＵＳＢ（Universal Serial Bus）ドライバおよびＵＳＢコネクタを含む。ＵＳＢドライバは、ＭＩＤＩ（Musical Instrument Digital Interface）イベント（ＭＩＤＩ信号）の入出力制御を行うＭＩＤＩドライバと、音響信号の入出力制御を行うオーディオドライバとを含む。ＲＡＭ１６、ＲＯＭ１７、ＣＰＵ１８、記憶装置１９および通信Ｉ／Ｆ２０はバス２１に接続される。
【００３１】
電子楽器３は、設定操作子３１、演奏操作子３２、表示器３３、内部音源３４および音発生装置３５を備える。電子楽器３の設定操作子３１、演奏操作子３２、表示器３３、内部音源３４および音発生装置３５の構成および機能は、音色設定装置１の設定操作子１１、演奏操作子１２、表示器１３、音源部１４および音発生装置１５の構成および機能と同様である。なお、本実施の形態では、設定操作子３１は、ＧＵＩではなく、物理的なスイッチ、ロータリエンコーダまたはリニアエンコーダを含む。また、本実施の形態では、演奏操作子３２は、ＧＵＩではなく、物理的な鍵盤およびドラムパッド等を含む。表示器３３には各種情報が表示される。なお、設定操作子３１、演奏操作子３２および表示器３３がタッチパネルディスプレイ３０により構成されてもよい。
【００３２】
内部音源３４は、例えばＰＣＭ（Pulse Code Modulation）音源等を含み、音響信号を生成する。音発生装置３５は、内部音源３４により生成される音響信号をアナログ音信号に変換し、アナログ音信号に基づく楽音を発生する。設定操作子３１、演奏操作子３２、表示器３３、内部音源３４および音発生装置３５はバス４１に接続される。
【００３３】
電子楽器３は、ＲＡＭ３６、ＲＯＭ３７、ＣＰＵ３８、記憶装置３９および通信Ｉ／Ｆ４０をさらに備える。ＲＡＭ３６は、例えば揮発性メモリからなり、ＣＰＵ３８の作業領域として用いられるとともに、複数の音色データを記憶する。ＲＯＭ３７は、例えば不揮発性メモリからなり、システムプログラムおよび動作プログラム等のコンピュータプログラムを記憶するとともに、予め設定された複数の音色データを記憶する。ＣＰＵ３８は、ＲＯＭ３７に記憶された動作プログラムをＲＡＭ３６上で実行する。なお、記憶装置３９には、複数の音色データが記憶されてもよく、上記の動作プログラムが記憶されてもよい。
【００３４】
通信Ｉ／Ｆ４０は、通信ドライバおよび通信コネクタを含み、各種指令、各種要求および音響信号の送信および受信を行う。本実施の形態では、通信Ｉ／Ｆ４０は、通信Ｉ／Ｆ２０と同様に、ＵＳＢドライバおよびＵＳＢコネクタを含む。ＵＳＢドライバは、ＭＩＤＩドライバおよびオーディオドライバを含む。通信Ｉ／Ｆ４０は、音色設定装置１の通信Ｉ／Ｆ２０にＵＳＢケーブル等を用いて接続される。ＲＯＭ３７、ＲＡＭ３６、ＣＰＵ３８、記憶装置３９および通信Ｉ／Ｆ４０はバス４１に接続される。
【００３５】
（２）音色設定装置１の機能的な構成
図２は図１の音色設定装置１の機能的な構成を示すブロック図である。図２に示すように、音色設定装置１は、接続検出部１０１、機種判定部１０２、音色選択メニュー表示部１０３、音色選択受け付け部１０４、音色判定部１０５、音色設定指令供給部１０６、音色データ記憶部１０７、音色設定指令送信部１０８、音色データ編集部１０９、ＭＩＤＩイベント受信部１１０、ＭＩＤＩイベント供給部１１１および音響信号送信部１１２を含む。図１のＣＰＵ１８がＲＯＭ１７または記憶装置１９に記憶された音色設定プログラムを実行することにより図２の各部の機能が実現される。
【００３６】
接続検出部１０１は、図１の通信Ｉ／Ｆ２０に電子楽器３が接続されているか否かを検出する。機種判定部１０２は、通信Ｉ／Ｆ２０に接続されている電子楽器３の機種を判定する。音色選択メニュー表示部１０３は、後述する音色選択メニューを図１の表示器１３の画面上に表示させる。音色選択受け付け部１０４は、図１の設定操作子１１を用いた音色選択メニューからの音色の選択を受け付ける。音色判定部１０５は、選択された音色が図１の音色設定装置１の音源部１４に設定可能な音色であるか電子楽器３の内部音源３４に設定可能な音色であるかを判定する。音色設定指令供給部１０６は、選択された音色が音色設定装置１の音源部１４に設定可能な音色である場合に音色データ記憶部１０７に音色設定指令を供給する。音色データ記憶部１０７は、図１のＲＡＭ１６およびＲＯＭ１７の一部の記憶領域により構成される。この音色データ記憶部１０７は、複数のレイヤー音色データおよび複数の単音色データを記憶する。なお、音色データ記憶部１０７が図１の記憶装置１９の記憶領域により構成されてもよい。
【００３７】
ここで、レイヤー音色は、複数の単音色が複合されることにより得られた音色である。レイヤー音色に関する音色データをレイヤー音色データと呼び、単音色に関する音色データを単音色データと呼ぶ。以下の説明では、適宜、レイヤー音色データおよび単音色データを音色データと総称する。音色データは、複数の音響効果パラメータにより構成される。複数の音響効果パラメータは、複数の音響効果タイプに分類される。音響効果タイプとしては、例えば、“Filter”（フィルタ）、“Envelope”（エンベロープ）、“Oscillator”（オッシレータ）、“ＬＦＯ”（低周波発信器）等がある。“Filter”の音響効果パラメータとしては、“Cutoff”（カットオフ）、“Resonance”（レゾナンス）、“ＥＧ(Envelope Generator Depth)”（ＥＧデプス）、“ＬＦＯDepth”（ＬＦＯ デプス）等がある。“Envelope”の音響効果パラメータとしては、“Attack”（アタック）、“Decay”（ディケイ）、“Sustain”（サステイン）、“Release”（リリース）等がある。
【００３８】
音色データ編集部１０９は、ユーザによる設定操作子１１の操作に基づいて音色データ記憶部１０７に記憶された音色データを編集することにより新たなレイヤー音色データまたは単音色データを作成する。上記の音色データ記憶部１０７は、プリセットデータ領域およびユーザデータ記憶領域を有する。プリセットデータ領域には、予め複数の音色データ（プリセット音色データ）が記憶されている。ユーザデータ記憶領域には、音色データ編集部１０９により作成された音色データ（ユーザ音色データ）が記憶される。
【００３９】
音色設定指令送信部１０８は、選択された音色が電子楽器３の内部音源３４に設定可能な音色である場合に通信Ｉ／Ｆ２０を介して電子楽器３に音色設定指令を送信する。
【００４０】
ＭＩＤＩイベント受信部１１０は、通信Ｉ／Ｆ２０を介して電子楽器３からＭＩＤＩイベントを受信する。ＭＩＤＩイベント供給部１１１は、受信されたＭＩＤＩイベントを図１の音源部１４に供給する。音響信号送信部１１２は、音源部１４により生成された音響信号を通信Ｉ／Ｆ２０を介して電子楽器３に送信する。
【００４１】
（３）音色選択メニュー
図３は図１の表示器１３に表示される音色選択メニューの一例を示す模式図である。図３には、音色設定装置１に特定機種の電子楽器３が接続された場合に表示される音色選択メニュー（以下、特定機種用の音色選択メニューと呼ぶ。）が示される。本実施の形態では、機種Ｄが特定機種である。したがって、音色設定装置１に機種Ｄの電子楽器３が接続されたときに図３の音色選択メニューが表示器１３に表示される。
【００４２】
図３の特定機種用の音色選択メニューはメインメニューＭＭ１および複数のサブメニューを含む。メインメニューＭＭ１には複数の音色バンクが示される。図３の例では、メインメニューＭＭ１は、プリセットバンクＢＰ、機種ＡバンクＢＡ、機種ＢバンクＢＢ、機種ＣバンクＢＣ、機種ＤバンクＢＤ、ユーザ１バンクＢＵ１、ユーザ２バンクＢＵ２およびユーザ３バンクＢＵ３を有する。プリセットバンクＢＰは、音色設定装置１の音色データ記憶部１０７に予め記憶される複数の音色データを含む。機種ＡバンクＢＡ、機種ＢバンクＢＢ、機種ＣバンクＢＣおよび機種ＤバンクＢＤは、機種Ａ，Ｂ，Ｃの電子楽器３に予め記憶された複数の音色データと同じ複数の音色データをそれぞれ含む。ユーザ１バンクＢＵ１、ユーザ２バンクＢＵ２およびユーザ３バンクＢＵ３は、ユーザが編集により作成した１または複数の音色データをそれぞれ含む。
【００４３】
各バンクＢＰ，ＢＡ，ＢＢ，ＢＣ，ＢＤ，ＢＵ１，ＢＵ２，ＢＵ３にそれぞれ対応するサブメニューが用意される。図３には、機種ＤバンクＢＤに対応するサブメニューＳＭ１が示される。サブメニューＳＭ１には、複数のレイヤー音色ＬＴＡ，ＬＴＢ，ＬＴＣおよび複数の単音色ＳＴＡ，ＳＴＢ，ＳＴＣが示される。ユーザは、サブメニューＳＭ１のレイヤー音色または単音色を選択することができる。このように、音色設定装置１に特定機種（本例では機種Ｄ）の電子楽器３が接続された場合には、ユーザは、図３の特定機種用の音色選択メニューに示されるバンクＢＰ，ＢＡ，ＢＢ，ＢＣ，ＢＤ，ＢＵ１，ＢＵ２，ＢＵ３内のレイヤー音色または単音色を選択することができる。図３の特定機種用の音色選択メニューにより選択可能な複数の音色は、音色設定装置１の音源部１４に設定可能な音色、電子楽器３の内部音源３４に設定可能な音色、および音色設定装置１の音源部１４に設定可能な音色と電子楽器３の内部音源３４に設定可能な音色とが複合されたレイヤー音色を含む。
【００４４】
図４は図１の表示器１３に表示される音色選択メニューの他の例を示す模式図である。図４には、音色設定装置１に一般的な機種の電子楽器３が接続された場合に表示される音色選択メニュー（以下、音色選択メニューと呼ぶ。）が示される。図４の一般機種用の音色選択メニューはメインメニューＭＭ２および複数のサブメニューを含む。図４のメインメニューＭＭ２は、プリセットバンクＢＰ、ユーザ１バンクＢＵ１、ユーザ２バンクＢＵ２およびユーザ３バンクＢＵ３のみを有し、図３の機種ＡバンクＢＡ、機種ＢバンクＢＢ、機種ＣバンクＢＣおよび機種ＤバンクＢＤを有しない。図４には、プリセットバンクＢＰに対応するサブメニューＳＭ２が示される。サブメニューＳＭ２には、複数のレイヤー音色ＬＴａ，ＬＴｂ，ＬＴｃおよび複数の単音色ＳＴａ，ＳＴｂ，ＳＴｃが示される。このように、音色設定装置１に一般的な機種の電子楽器３が接続された場合には、ユーザは、図４の一般機種用の音色選択メニューに示されるバンクＢＰ，ＢＵ１，ＢＵ２，ＢＵ３内のレイヤー音色または単音色を選択することができる。図４の音色選択メニューにより選択可能な複数の音色は、音色設定装置１の音源部１４に設定可能な音色、電子楽器３の内部音源３４に設定可能な音色、および音色設定装置１の音源部１４に設定可能な音色と電子楽器３の内部音源３４に設定可能な音色とが複合されたレイヤー音色を含む。例えば、これらのレイヤー音色または単音色として一般的なＧＭ（General MIDI）音源の音色が用いられてもよい。
【００４５】
（４）音色設定動作
図５は図１の音色設定装置１による音色設定動作を説明するためのブロック図である。図５においては、音色設定装置１および電子楽器３の一部の構成要素が示される。
【００４６】
音色設定装置１は、図２に示した音色データ記憶部１０７を含む。音色データ記憶部１０７には、複数のレイヤー音色データおよび複数の単音色データが記憶される。音源部１４は、音源メモリ１４１および音響信号生成部１４２を含む。この音源部１４は、複数のチャンネル（例えば１６チャンネル）を有する。音源メモリ１４１は、音色データ記憶部１０７に記憶されたレイヤー音色データまたは単音色データのうち選択された音色データをチャンネルごとに記憶することが可能である。音響信号生成部１４２は、チャンネルごとに音源メモリ１４１に記憶された音色データに基づく音響信号を生成する。音源部１４に音色データを設定するとは、音源メモリ１４１に音色データを記憶させることを意味する。音色データ記憶部１０７に記憶された音色データは、音源メモリ１４１に設定可能である。音源メモリ１４１に音色データを設定することにより音源部１４に音色を設定することができる。
【００４７】
電子楽器３は、音色データ記憶部３０７を含む。音色データ記憶部３０７は、図１のＲＡＭ３６、ＲＯＭ３７または記憶装置３９により構成される。音色データ記憶部３０７には、予め複数のレイヤー音色データおよび複数の単音色データが記憶される。内部音源３４は、音源メモリ３４１および音響信号生成部３４２を含む。この内部音源３４は、複数のチャンネル（例えば１６チャンネル）を有する。音源メモリ３４１は、音色データ記憶部３０７に記憶されたレイヤー音色データまたは単音色データのうち選択された音色データをチャンネルごとに記憶することができる。音響信号生成部３４２は、チャンネルごとに音源メモリ３４１に記憶された音色データに基づく音響信号を生成する。内部音源３４に音色データを設定するとは、音源メモリ３４１に音色データを記憶させることを意味する。音色データ記憶部３０７に記憶された音色データは、音源メモリ３４１に設定可能である。音源メモリ３４１に音色データを設定することにより内部音源３４に音色を設定することができる。
【００４８】
ここで、電子楽器３の音発生装置３５がレイヤー音色を有する楽音を発生する場合の音色設定装置１および電子楽器３の第１、第２および第３の動作例について説明する。
【００４９】
第１の動作例は、ユーザにより選択されたレイヤー音色が音色設定装置１の音源部１４に設定可能である場合の動作例である。この場合には、音色設定装置１において音色設定指令ＴＣ１が発生する。音色設定指令ＴＣ１は音色設定装置１の音色データ記憶部１０７に供給される。それにより、選択されたレイヤー音色に関するレイヤー音色データが音色データ記憶部１０７から音源部１４の音源メモリ１４１にバルク転送される。電子楽器３においてＭＩＤＩイベントＭｅが発生すると、そのＭＩＤＩイベントＭｅは通信Ｉ／Ｆ４０および通信Ｉ／Ｆ２０を介して音色設定装置１の音源部１４の音響信号生成部１４２に供給される。ＭＩＤＩイベントＭｅがノートオンイベントである場合、音響信号生成部１４２は、音源メモリ１４１に記憶されたレイヤー音色データに基づくレイヤー音色を有しかつノートオンイベントで指定された音高を有する音響信号ＡＬ１を生成する。その音響信号ＡＬ１は、通信Ｉ／Ｆ２０および通信Ｉ／Ｆ４０を介して電子楽器３の音発生装置３５に供給される。それにより、音発生装置３５から音響信号ＡＬ１に基づくレイヤー音色を有する楽音が発生される。
【００５０】
第２の動作例は、ユーザにより選択されたレイヤー音色が音色設定装置１の音源部１４に設定可能な音色と電子楽器３の内部音源３４に設定可能な音色との組み合わせである場合の動作例である。この場合には、音色設定装置１において音色設定指令ＴＣ１および音色設定指令ＴＣ２が発生する。音色設定指令ＴＣ１は音色設定装置１の音色データ記憶部１０７に供給され、音色設定指令ＴＣ２は通信Ｉ／Ｆ２０および通信Ｉ／Ｆ４０を介して電子楽器３の音色データ記憶部３０７に供給される。それにより、音色設定装置１において選択された音色に関する音色データが音色データ記憶部１０７から音源部１４の音源メモリ１４１にバルク転送され、電子楽器３において選択された音色に関する音色データが音色データ記憶部３０７から内部音源３４の音源メモリ３４１にバルク転送される。
【００５１】
電子楽器３においてＭＩＤＩイベントＭｅが発生すると、そのＭＩＤＩイベントＭｅは音響信号生成部３４２に供給されるとともに通信Ｉ／Ｆ４０および通信Ｉ／Ｆ２０を介して音色設定装置１の音源部１４の音響信号生成部１４２に供給される。ＭＩＤＩイベントＭｅがノートオンイベントである場合、音響信号生成部１４２は、音源メモリ１４１に記憶された音色データに基づく音色を有しかつノートオンイベントで指定された音高を有する音響信号ＡＳ１を生成する。その音響信号ＡＳ１は、通信Ｉ／Ｆ２０および通信Ｉ／Ｆ４０を介して電子楽器３の音発生装置３５に供給される。一方、電子楽器３の音響信号生成部３４２は、音源メモリ３４１に記憶された音色データに基づく音色を有しかつノートオンイベントで指定された音高を有する音響信号ＡＳ２を生成する。その音響信号ＡＳ２は、音発生装置３５に供給される。それにより、音発生装置３５から音響信号ＡＳ１，ＡＳ２に基づくレイヤー音色を有する楽音が発生される。
【００５２】
第３の動作例は、ユーザにより選択されたレイヤー音色が電子楽器３の内部音源３４に設定可能なレイヤー音色である場合の動作例である。この場合には、音色設定装置１において音色設定指令ＴＣ２が発生する。音色設定指令ＴＣ２は、通信Ｉ／Ｆ２０および通信Ｉ／Ｆ４０を介して電子楽器３の音色データ記憶部３０７に供給される。それにより、選択されたレイヤー音色データが音色データ記憶部３０７から内部音源３４の音源メモリ３４１にバルク転送される。電子楽器３においてＭＩＤＩイベントＭｅが発生すると、そのＭＩＤＩイベントＭｅは音響信号生成部３４２に供給される。ＭＩＤＩイベントＭｅがノートオンイベントである場合、音響信号生成部３４２は、音源メモリ３４１に記憶されたレイヤー音色データに基づくレイヤー音色を有しかつノートオンイベントで指定された音高を有する音響信号ＡＬ２を生成する。その音響信号ＡＬ２は、電子楽器３の音発生装置３５に供給される。それにより、音発生装置３５から音響信号ＡＬ２に基づくレイヤー音色を有する楽音が発生される。
【００５３】
（５）音色設定装置１による音色設定処理
図６は音色設定装置１による音色設定処理を示すフローチャートである。図７は音色選択メニュー表示処理を示すフローチャートであり、図８は音色データ設定処理を示すフローチャートである。図６〜図８の処理は、図１の音色設定装置１のＣＰＵ１８がＲＯＭ１７または記憶装置１９に記憶された音色設定プログラムを実行することに行われる。また、電子楽器３の処理はＣＰＵ３８がＲＯＭ３７または記憶装置３９に記憶された動作プログラムを実行することに行われる。
【００５４】
まず、図２の接続検出部１０１は、図１の通信Ｉ／Ｆ２０の状態に基づいて音色設定装置１に電子楽器３が接続されたか否かを検出する（ステップＳ１）。音色設定装置１に電子楽器３が接続された場合には、接続検出部１０１は電子楽器３に機種情報の要求を送信する（ステップＳ２）。ここで、機種情報は、少なくとも電子楽器３の機種を示す。
【００５５】
電子楽器３のＣＰＵ３８は、音色設定装置１からの機種情報の要求を受信すると（ステップＳ１１）、音色設定装置１に機種情報を送信する（ステップＳ１２）。音色設定装置１が電子楽器３からの機種情報を受信すると、図７に示す音色選択メニュー表示処理が行われる（ステップＳ３）。
【００５６】
図７の音色選択メニュー表示処理では、機種判定部１０２は、機種情報に基づいて電子楽器３の機種を判定する（ステップＳ２１）。機種判定部１０２により判定された機種が特定機種（本例では機種Ｄ）である場合には、音色選択メニュー表示部１０３は、図１の表示器１３に図３に示した特定機種用の音色選択メニューを表示させ（ステップＳ２３）、図６のステップＳ４に進む。機種判定部１０２により判定された機種が一般機種である場合には、音色選択メニュー表示部１０３は、図１の表示器１３に図４に示した一般機種用の音色選択メニューを表示させ（ステップＳ２４）、図６のステップＳ４に進む。ステップＳ１において音色設定装置１に電子楽器３が接続されない場合にもステップＳ４に進む。
【００５７】
図６のステップＳ４では、図８に示す音色データ設定処理が行われる。図８の音色データ設定処理において、ユーザは、表示器１３に表示される音色選択メニューから音色を選択する。音色選択受け付け部１０４は、ユーザによる音色の選択を受け付ける。音色判定部１０５は、複数の音色が選択されたか否かを判定する（ステップＳ３１）。ここで、複数の音色の選択は、レイヤー音色の選択または複数の単音色の選択である。複数の音色が選択された場合には、音色判定部１０５は、複数の音色が音源部１４に設定可能なレイヤー音色であるか否かを判定する（ステップＳ３２）。複数の音色が音源部１４に設定可能なレイヤー音色である場合には、音色設定指令供給部１０６は、選択されたレイヤー音色に対応するレイヤー音色データを音源部１４に設定する（ステップＳ３３）。具体的には、音色設定指令供給部１０６は、選択されたレイヤー音色に対応するレイヤー音色データを音源部１４の音源メモリ１４１に転送するように音色データ記憶部１０７に音色設定指令ＴＣ１を供給する。それにより、音色データ記憶部１０７から音源メモリ１４１にレイヤー音色データが転送される。その結果、音源部１４にレイヤー音色データが設定される。その後、図５のステップＳ５に進む。
【００５８】
ステップＳ３２において複数の音色が音源部１４に設定可能なレイヤー音色でない場合には、音色判定部１０５は、複数の音色が音源部１４に設定可能な音色（以下、第１の音色と呼ぶ。）と電子楽器３の内部音源３４に設定可能な音色（以下、第２の音色と呼ぶ。）とを含むか否かを判定する（ステップＳ３４）。ここで、複数の音色は、レイヤー音色として複合された第１および第２の音色、または互いに別個の第１および第２の音色（単音色またはレイヤー音色）である。複数の音色が第１の音色と第２の音色とを含む場合には、音色設定指令供給部１０６は、第１の音色に対応する音色データを音源部１４に設定する（ステップＳ３５）。具体的には、音色設定指令供給部１０６は、選択された第１の音色に対応する音色データを音源部１４の音源メモリ１４１に転送するように音色データ記憶部１０７に音色設定指令ＴＣ１を供給する。それにより、音色データ記憶部１０７から音源メモリ１４１に音色データが転送される。音色設定指令送信部１０８は、第２の音色に関する音色設定指令ＴＣ２を電子楽器３に送信する（ステップＳ３６）。具体的には、音色設定指令送信部１０８は、選択された第２の音色に対応する音色データを内部音源３４の音源メモリ３４１に転送するように電子楽器３に音色設定指令ＴＣ２を送信する。それにより、電子楽器３の音色データ記憶部３０７から音源メモリ３４１に音色データが転送される。その後、図６のステップＳ５に進む。
【００５９】
ステップＳ３４において複数の音色が第１の音色と第２の音色とを含まない場合には、音色判定部１０５は、複数の音色が電子楽器３の内部音源３４に設定可能なレイヤー音色であるか否かを判定する（ステップＳ３７）。複数の音色が電子楽器３の内部音源３４に設定可能なレイヤー音色である場合には、音色設定指令送信部１０８は、レイヤー音色に関する音色設定指令ＴＣ２を電子楽器３に送信する（ステップＳ３８）。具体的には、音色設定指令送信部１０８は、選択されたレイヤー音色に対応するレイヤー音色データを内部音源３４の音源メモリ３４１に転送するように電子楽器３に音色設定指令ＴＣ２を送信する。それにより、電子楽器３の音色データ記憶部３０７から音源メモリ３４１にレイヤー音色データが転送される。
【００６０】
ステップＳ３７において複数の音色が電子楽器３の内部音源３４に設定可能なレイヤー音色でない場合には、図６のステップＳ５に進む。ステップＳ３１において複数の音色が選択されていない場合には、単音色の設定処理が行われる（ステップＳ３９）。この場合、音色設定指令供給部１０６が選択された単音色に関する音色設定指令を音源部１４に供給し、または音色設定指令送信部１０８が選択された単音色に関する音色設定指令を電子楽器３に送信する。
【００６１】
一方、図６のステップＳ１３において、電子楽器３のＣＰＵ３８は、音色設定装置１から音色設定指令を受信したか否かを判定する。音色設定装置１からの音色設定指令を受信すると、ＣＰＵ３８は、音色設定指令に基づいて内部音源３４に音色データ（単音色データまたはレイヤー音色データ）を設定する（ステップＳ１４）。第２の動作例では、電子楽器３の音色データ記憶部３０７から音源メモリ３４１に第１の音色に対応する音色データが転送される。第３の動作例では、電子楽器３の音色データ記憶部３０７から音源メモリ３４１にレイヤー音色に対応するレイヤー音色データが転送される。さらに、ＣＰＵ３８は表示器３３に音色データが設定されたことを表示させる（ステップＳ１５）。
【００６２】
次に、電子楽器３のＣＰＵ３８は、演奏操作子３２の操作によりＭＩＤＩイベントが発生された否かを判定する（ステップＳ１６）。本例では、ＭＩＤＩイベントは、発音指示および音高を含むノートオンイベントである。ＭＩＤＩイベントが発生された場合には、ＣＰＵ３８は、ＭＩＤＩイベントを音色設定装置１および内部音源３４に送信する（ステップＳ１７）。
【００６３】
次に、電子楽器３の内部音源３４は、ＭＩＤＩイベントに応答して、設定された音色データに基づく音色およびＭＩＤＩイベントにより指定された音高を有する音響信号を生成する（ステップＳ１８）。
【００６４】
一方、音色設定装置１のＭＩＤＩイベント受信部１１０は、電子楽器３からのＭＩＤＩイベントを受信したか否かを判定する（ステップＳ５）。ＭＩＤＩイベントを受信した場合には、ＭＩＤＩイベント供給部１１１が音源部１４にＭＩＤＩイベントを供給する。それにより、音響信号生成部１４２が設定された音色データに基づく音色およびＭＩＤＩイベントにより指定された音高を有する音響信号を生成する（ステップＳ６）。音響信号送信部１１２は、電子楽器３に音響信号を送信し（ステップＳ７）、ステップＳ１に戻る。ステップＳ５においてＭＩＤＩイベントを受信していない場合にもステップＳ１に戻る。
【００６５】
電子楽器３のＣＰＵ３８は、内部音源３４により音響信号が生成されたかまたは音色設定装置１からの音響信号が受信された否かを判定する（ステップＳ１９）。音響信号が生成または受信された場合には、音発生装置３５は音響信号に基づいてレイヤー音色を有する楽音を発生する（ステップＳ２０）。
【００６６】
（６）実施の形態の効果
本実施の形態に係る音色設定装置１によれば、ユーザは、音色選択メニューから音源部１４に設定可能なレイヤー音色データに基づくレイヤー音色、音色設定装置１の音源部１４に設定可能な音色データと電子楽器３の内部音源３４に設定可能な音色データとの組み合わせに基づくレイヤー音色、および電子楽器３の内部音源３４に設定可能なレイヤー音色データに基づくレイヤー音色を選択することができる。それにより、ユーザは、音色設定装置１に用意されたレイヤー音色の楽音を電子楽器３により発生させることができ、音色設定装置１に用意された音色と電子楽器３に用意された音色との組み合わせによるレイヤー音色の楽音を電子楽器３により発生させることができ、電子楽器３に用意されたレイヤー音色の楽音を電子楽器３により発生させることができる。したがって、ユーザは、音色設定装置１の簡単な操作で多様なレイヤー音色を有する楽音を電子楽器３により発生させることができる。
【００６７】
また、音色設定装置１に特定機種の電子楽器３が接続されたときには、ユーザは、特定機種用の音色選択メニューから種々の電子楽器３で使用可能なレイヤー音色を選択することができる。それにより、ユーザは、特定機種の電子楽器３により多くの種類のレイヤー音色の楽音を発生させることができる。したがって、特定機種の電子楽器３の使用を促進することができる。
【００６８】
（７）他の実施の形態
（ａ）上記実施の形態では、電子楽器３が内部音源３４を有するが、音色設定装置１は内部音源を有しない電子楽器３にも適用可能である。この場合には、音色設定装置１の音源部１４に設定された音色データに基づいて電子楽器により楽音が発生される。
【００６９】
図９は内部音源を有しない電子楽器が音色設定装置１に接続された場合の音色設定処理を示すフローチャートである。図１０は図９の音色設定処理における音色データ設定処理を示すフローチャートである。図９の音色設定処理が図６の音色設定処理と異なる次の点である。図９の音色設定処理は図６のステップＳ１８を含まず、図６のステップＳ４およびステップＳ１９の代わりにステップＳ４ａおよびステップＳ１９ａを含む。図１０には図９のステップＳ４ａの音色データ設定処理が示される。図１０の音色データ設定処理は、図８のステップＳ３１〜Ｓ３３を含み、図８のステップＳ３４〜Ｓ３８を含まない。
【００７０】
図１０の音色データ設定処理において、ユーザにより選択された複数の音色が音源部１４に設定可能なレイヤー音色である場合には、音色設定指令供給部１０６は、選択されたレイヤー音色に対応するレイヤー音色データを音源部１４に設定する（ステップＳ３１〜Ｓ３３）。
【００７１】
図９のステップＳ１６においてＭＩＤＩイベントが発生された場合には、電子楽器のＣＰＵは、ＭＩＤＩイベントを音色設定装置１に送信する（ステップＳ１７）。電子楽器のＣＰＵは、音色設定装置１からの音響信号が受信された否かを判定する（ステップＳ１９ａ）。音響信号が受信された場合には、音発生装置３５は音響信号に基づいてレイヤー音色を有する楽音を発生する（ステップＳ２０）。
【００７２】
本例では、ユーザは、音色選択メニューから音源部１４に設定可能なレイヤー音色データに基づくレイヤー音色を選択することができる。それにより、ユーザは、音色設定装置１に用意されたレイヤー音色の楽音を電子楽器３により発生させることができる。したがって、電子楽器が内部音源を有しない場合でも、簡単な操作で多様なレイヤー音色を電子楽器により発生させることができる。
【００７３】
（ｂ）図１１は音色選択メニュー表示処理の他の例を示すフローチャートであり、図１２は図１１の音色選択メニューの変更処理を示すフローチャートである。図１１の音色選択メニュー表示処理が図７の音色選択メニュー表示処理と異なるのは、図７のステップＳ２４の代わりにステップＳ２５，Ｓ２６を有する点である。ステップＳ２５では、音色選択メニューの変更処理が行われ、ステップＳ２６では、音色選択メニュー表示部１０３が、図１の表示器１３に処理後の一般機種用の音色選択メニューを表示させる。以下の説明において、一般機種用の音色選択メニューはｍ個のレイヤー音色を含むものとする。
【００７４】
図１２の音色選択メニューの変更処理では、音色選択メニュー表示部１０３が変数ｋを１に設定する（ステップＳ５１）。次に、音色選択メニュー表示部１０３は、一般機種用の音色選択メニューにおけるｋ番目のレイヤー音色を構成する複数の音色が音源部１４および電子楽器３のいずれにも設定可能でない音色を含むか否かを判定する（ステップＳ５２）。複数の音色が音源部１４および電子楽器３のいずれにも設定可能でない音色を含む場合には、音色選択メニュー表示部１０３は、一般機種用の音色選択メニューからｋ番目のレイヤー音色を削除し（ステップＳ５３）、変数ｋに１を加算する（ステップＳ５３）。
【００７５】
ステップＳ５２において複数の音色が音源部１４および電子楽器３のいずれにも設定可能でない音色を含む場合には、音色選択メニュー表示部１０３はステップＳ５４に進む。次に、音色選択メニュー表示部１０３は、変数ｋがｍよりも大きいか否かを判定する（ステップＳ５５）。変数ｋがｍ以下の場合には、ステップＳ５２に戻り、音色選択メニュー表示部１０３が音色選択メニューのｍ個のレイヤー音色についてステップＳ５２〜Ｓ５５の処理を行い、変数ｋがｍよりも大きくなると、図１１のステップＳ２６に進む。
【００７６】
図１１の音色選択メニュー表示処理および図１２の音色選択メニューの変更処理により、音色設定装置１に接続された電子楽器３によって使用不可能なレイヤー音色が一般機種用の音色選択メニューに表示されない。したがって、ユーザが使用不可能なレイヤー音色を選択することがない。
【００７７】
（ｃ）上記実施の形態では、音色設定装置１は、演奏操作子１２および音発生装置１５を備える。したがって、音色設定装置１の演奏操作子１２を操作することにより音発生装置１５から電子楽器３と同様に種々の音色を有する楽音を発生させることができる。この場合、音色設定装置１を電子楽器として用いることができる。なお、音色設定装置１が演奏操作子１２および音発生装置１５を備えなくてもよい。この場合には、音色設定装置１は電子楽器３に対する音色設定機能のみを有する。
【００７８】
（ｄ）上記実施の形態では、音色設定装置１に特定機種の電子楽器３が接続された場合にのみ図３の音色選択メニューが表示されるが、音色設定装置１に一般機種の電子楽器３が接続された場合にも図３の音色選択メニューが表示されてもよい。
【００７９】
（ｅ）上記実施の形態では、音源部１４がＦＭ音源であり、内部音源３４がＰＣＭ音源であるが、音源部１４および内部音源３４はそれぞれＦＭ音源およびＰＣＭ音源に限らず、他の音源であってもよい。
【００８０】
（ｆ）上記実施の形態では、音響信号に基づいて電子楽器３の音発生装置３５が楽音を発生するが、音響信号に基づいて音色設定装置１の音発生装置１５が楽音を発生してもよく、音響信号に基づいて電子楽器３の音発生装置３５および音色設定装置１の音発生装置１５が楽音を発生してもよい。
【００８１】
（ｇ）上記実施の形態では、音色設定装置１と電子楽器３とがＵＳＢケーブルにより音色設定装置１に接続されるが、音色設定装置１と電子楽器３との接続はこれに限らず、Bluetooth（登録商標）等の無線通信または他の有線通信により音色設定装置１と電子楽器３とが接続されてもよい。
【００８２】
（ｈ）音色設定装置１は、パーソナルコンピュータ、スマートデバイス（smart device）、ゲーム機器等の電子機器に適用されてもよい。上記実施の形態に係る音色設定装置１は、ＣＰＵ１８等のハードウエアおよび音色設定プログラム等のソフトウエアにより実現されるが、図２の音色設定装置１の各構成要素が電子回路等のハードウエアにより実現されてもよい。
【００８３】
（８）請求項の各構成要素と実施の形態の各部との対応
以下、請求項の各構成要素と実施の形態の各部との対応の例について説明するが、本発明は下記の例に限定されない。請求項の各構成要素として、請求項に記載されている構成または機能を有する他の種々の要素を用いることができる。
【００８４】
上記実施の形態では、音色選択受け付け部１０４が受け付け手段の例であり、音色判定部１０５、音色設定指令供給部１０６、音色データ記憶部１０７および音色設定指令送信部１０８が設定手段の例であり、演奏操作子３２が操作部の例であり、音発生装置３５が音発生部の例である。
【産業上の利用可能性】
【００８５】
本発明は、電子楽器に音色を設定する音色設定装置等に利用可能である。
【符号の説明】
【００８６】
１…音色設定装置，３…電子楽器，１０…タッチパネルディスプレイ，１１，３１…設定操作子，１２，３２…演奏操作子，１３，３３…表示器，１４…音源部，１５，３５…音発生装置，１６，３６…ＲＡＭ，１７，３７…ＲＯＭ，１８，３８…ＣＰＵ，１９，３９…記憶装置，２０，４０…通信Ｉ／Ｆ，２１，４１…バス，３４…内部音源，１００…電子楽器システム，１０１…接続検出部，１０２…機種判定部，１０３…音色選択メニュー表示部，１０４…音色選択受け付け部，１０５…音色判定部，１０６…音色設定指令供給部，１０７，３０７…音色データ記憶部，１０８…音色設定指令送信部，１０９…音色データ編集部，１１０…ＭＩＤＩイベント受信部，１１１…ＭＩＤＩイベント供給部，１１２…音響信号送信部，１４１，３４１…音源メモリ，１４２，３４２…音響信号生成部
【図１】
2018004744.tif 000003
【図２】
2018004744.tif 000004
【図３】
2018004744.tif 000005
【図４】
2018004744.tif 000006
【図５】
2018004744.tif 000007
【図６】
2018004744.tif 000008
【図７】
2018004744.tif 000009
【図８】
2018004744.tif 000010
【図９】
2018004744.tif 000011
【図１０】
2018004744.tif 000012
【図１１】
2018004744.tif 000013
【図１２】
2018004744.tif 000014